(57)【要約】  １つの通信ネットワークオペレータ（１０’）が複数のオペレータ（２０）に対してコンテンツプロバイダ（６０）の中間配信装置又は管理装置として動作することを可能にする解決策が提供される。コンテンツプロバイダ（６０）は、中央オペレータ（１０’）に対して単一の関係を有するため、他のオペレータ（２０）に対して関係を有することになる。従って、コンテンツプロバイダ（６０）は、オペレータ（１０’）に対する単一の関係を介して全てのオペレータ（１０’、２０）の全てのユーザ（３０）に到達できる。コンテンツプロバイダ（６０）は、メディアコンテンツ等のサービスコンテンツを提供する。対象ユーザ（３０）又は加入者のリストが編集される。中央オペレータ（１０’）は、位置、デバイス情報及びアクセス特性等の必要な加入者属性（８０）を他のオペレータ（２０）から収集する。コンテンツは収集した属性（８０）に基づいて修正され、コンテンツは可能な最適な方法で加入者（３０）に配信される。
2008535079.tif 000002
【特許請求の範囲】
【請求項１】
複数の移動通信ネットワークオペレータ（１０’、２０）の加入者（３０）へサービスコンテンツ（９６）を配信する方法であって、
サービスコンテンツ（９６）を提供するステップ（２１０）と、
前記サービスコンテンツ（９６）が配信される加入者のリスト（８６）を編集するステップ（２１２）と、
中央ネットワークオペレータ・サブシステム（７０）において、前記複数の移動通信ネットワークのオペレータ（２０）から前記リスト（８６）の前記加入者（３０）に係る加入者属性（８０）を収集するステップ（２１４）と、
前記収集した加入者属性（８０）に基づいて前記サービスコンテンツ（９６）を修正するステップ（２１６）と、
各加入者属性に基づいて修正した前記サービスコンテンツを前記リスト（８６）の加入者（３０）へ配信するステップ（２１８）と、
を有する方法。
【請求項２】
前記サービスコンテンツは、
メディアコンテンツと、
通信サービスコンテンツと、
広告と、
情報サービスコンテンツと、
のリストの少なくとも１つの項目を含む、請求項１に記載の方法。
【請求項３】
前記加入者属性（８０）は加入者位置データを含む、請求項１又は２に記載の方法。
【請求項４】
前記加入者属性（８０）は加入者デバイス情報を含む、請求項１から３のいずれか１項に記載の方法。
【請求項５】
前記加入者デバイス情報はデジタル権利管理に関する情報を含む、請求項４に記載の方法。
【請求項６】
前記加入者属性（８０）は加入者アクセス特性を含む、請求項１から５のいずれか１項に記載の方法。
【請求項７】
前記加入者アクセス特性は、ＩＰマルチメディアサービス又はマルチメディアメッセージングサービスアクセスに関する情報を含む、請求項６に記載の方法。
【請求項８】
前記収集するステップ（２１４）は、オペレータの相互の合意により制御される請求項１から７のいずれか１項に記載の方法。
【請求項９】
前記編集するステップ（２１２）は、前記中央ネットワークオペレータ・サブシステム（７０）において実行される、請求項１から８のいずれか１項に記載の方法。
【請求項１０】
前記編集するステップ（２１２）は、サービスコンテンツプロバイダ（６０）により実行される、請求項１から８のいずれか１項に記載の方法。
【請求項１１】
前記編集したリスト（８６）を前記中央ネットワークオペレータ・サブシステム（７０）へ転送するステップを更に有する、請求項１０に記載の方法。
【請求項１２】
前記修正するステップ（２１６）は、前記中央ネットワークオペレータ・サブシステム（７０）において実行される、請求項１から１１のいずれか１項に記載の方法。
【請求項１３】
前記修正するステップ（２１６）は、サービスコンテンツプロバイダ（６０）により実行される、請求項１から９のいずれか１項に記載の方法。
【請求項１４】
前記修正したサービスコンテンツを前記中央ネットワークオペレータ・サブシステム（７０）へ転送するステップを更に有する、請求項１３に記載の方法。
【請求項１５】
前記配信するステップ（２１８）は、前記中央ネットワークオペレータ・サブシステム（７０）により実行される、請求項１から１４のいずれか１項に記載の方法。
【請求項１６】
前記修正するステップ（２１６）は、
所定の共通加入者属性に基づいて、前記編集したリスト（８６）を部分リスト（８８）に分割するステップと、
前記所定の共通加入者属性に基づいて、前記部分リスト（８８）の各々について前記サービスコンテンツを修正するステップと、
を有する、請求項１から１５のいずれか１項に記載の方法。
【請求項１７】
前記加入者のリスト（８６）の加入者にプライバシ設定スクリプトを提供するステップを更に有し、
前記プライバシ設定スクリプトは、前記加入者が署名することを意図しており、
前記プライバシ設定スクリプトは、前記加入者が前記署名したプライバシ設定スクリプトを転送することを意図している、前記加入者のオペレータのアドレスを伴っている
請求項１から１６のいずれか１項に記載の方法。
【請求項１８】
一方の前記加入者（３０）のうちの少なくとも１人と、他方の前記中央ネットワークオペレータ（１０’）及び前記コンテンツプロバイダ（６０）との間の通信は、前記加入者（３０）のうちの前記少なくとも１人が加入者であるオペレータ（２０）の匿名ポート（３５）を介して実行され、
一時的なルーティングアドレスは、前記加入者（３０）のうちの前記少なくとも１人を識別するために使用される
請求項１から１７のいずれか１項に記載の方法。
【請求項１９】
複数の移動通信ネットワークのオペレータとの信号伝送を管理するオペレータ間インタフェース（８１）と、
サービスコンテンツプロバイダ通信を行うコンテンツプロバイダインタフェース（６９）と、
前記複数の移動通信ネットワークの加入者と通信を行うデータトラフィックインタフェース（７９）と、
サービスコンテンツが配信される前記複数の移動通信ネットワークの加入者のリストを取得する手段（７４）と、
前記オペレータ間インタフェース（８１）を介して前記加入者のリストの加入者に係る加入者属性を収集する手段（７１）と、
各加入者属性に基づいて修正した前記サービスコンテンツを前記データトラフィックインタエース（７９）を介して配布する手段（７７）と、
を備える、移動通信ネットワーク・サブシステム（７０）。
【請求項２０】
前記サービスコンテンツは、
メディアコンテンツと、
通信サービスコンテンツと、
広告と、
情報サービスコンテンツと、
のリストの少なくとも１つの項目を含む、請求項１９に記載の移動通信ネットワーク・サブシステム。
【請求項２１】
前記サービスコンテンツを前記コンテンツプロバイダインタフェース（６９）を介して受信する手段と、
前記リストの加入者に係る加入者属性に基づいて前記サービスコンテンツを修正する手段（７８）と、
を更に備える、請求項１９に記載の移動通信ネットワーク・サブシステム。
【請求項２２】
前記サービスコンテンツを修正する前記手段（７８）は、
所定の共通加入者属性に基づいて、前記編集したリストを部分リストに分割する手段と、
前記所定の共通加入者属性に基づいて、前記部分リストの各々について前記サービスコンテンツを修正する手段と、
を備える、請求項２１に記載の移動通信ネットワーク・サブシステム。
【請求項２３】
前記収集した加入者属性の少なくとも一部を表すデータを前記コンテンツプロバイダインタフェースを介して転送する手段と、
前記リストの加入者に係る加入者属性に基づいて修正した前記サービスコンテンツを前記コンテンツプロバイダインタフェース（６９）を介して受信する手段と、
を更に備える、請求項１９に記載の移動通信ネットワーク・サブシステム。
【請求項２４】
加入者のリストを取得する前記手段は、前記加入者のリストを表すデータを前記コンテンツプロバイダインタフェース（６９）を介して受信する手段を備える、請求項１９から２３のいずれか１項に記載の移動通信ネットワーク・サブシステム。
【請求項２５】
加入者のリストを取得する前記手段（７４）は、ＳＭＳメッセージを受信し処理する手段を備える、請求項１９から２３のいずれか１項に記載の移動通信ネットワーク・サブシステム。
【請求項２６】
前記加入者のリスト（８６）の加入者を対象として前記データトラフィックインタフェース（７９）を介してプライバシ設定スクリプトを提供する手段を更に備え、
前記プライバシ設定スクリプトは、前記加入者により署名することを意図しており、
前記プライバシ設定スクリプトを提供する前記手段は、前記加入者が前記署名したプライバシ設定スクリプトを転送することを意図する前記加入者のオペレータのアドレスを含むように更に構成される
請求項１９から２５のいずれか１項に記載の移動通信ネットワーク・サブシステム。
【請求項２７】
請求項１９から２６のいずれか１項に記載の移動通信ネットワーク・サブシステム（７０）を備える移動通信システム。
【請求項２８】
匿名ポート（３５）を更に備え、
一時的なルーティングアドレスは、前記加入者（３０）のうちの少なくとも１人に対するアドレスと関連付けられ、
一方の前記加入者（３０）のうちの前記少なくとも１人と、他方の中央ネットワークオペレータ（１０’）及び前記コンテンツプロバイダ（６０）との間の通信は、前記匿名ポート（３５）を介して行なわれる
請求項２７に記載の移動通信システム。
【発明の詳細な説明】
【技術分野】
【０００１】
本発明は、一般にサービスコンテンツの通信に関し、特に、通信オペレータの境界を越えたそのような通信に関する。
【背景技術】
【０００２】
今日、通信オペレータは、集合ネットワークにわたり、通信サービスと、セッションと、メディアとの少なくともいずれかについて、いくつかの標準化されたルーティング機能を構築している。その原動力は、特定のユーザ対オペレータの関係に関わらず、anyone-to-anyone（誰もが誰とでも）の個人対個人の接続性を提供できるようにすることである。それらのサービスと、セッションと、メディアとの少なくともいずれかをルーティングする機能の例としては、電話通信、ＳＭＳ、ＭＭＳ、ＩＭＰＳ、電子メール及び将来のＩＭＳがある。それら例の各々は、特定のアドレス指定、サービス又はセッション方式内でアクティブな任意の他のユーザへ任意のユーザからルーティングすることを可能にするアドレス指定構造をそれぞれ有する。
【０００３】
通信サービスコンテンツ、メディアコンテンツ等の種々のサービスコンテンツのコンテンツプロバイダは、指定されたユーザにサービスコンテンツを配信する必要がある。典型的な例において、複数の異なるオペレータと関連付けられて分布する多くのユーザは、そのようなサービスコンテンツの仮の対象である。そのために、コンテンツプロバイダは、任意の他のユーザと同様に上述のルーティング構造を使用できる。そのような場合、コンテンツプロバイダは「通常の」ユーザと考えられる。このようにコンテンツプロバイダは、サービスコンテンツを要求する任意のユーザにそのサービスコンテンツをルーティングできる。しかし、複数の他のユーザの中で１つのユーザとして動作する場合にサービスコンテンツを配信することは、主にコンテンツの配信先である端末の種類と、コンテンツを配信する際に使用するアクセスの種類との少なくともいずれかに実際のコンテンツを適応させる能力に関して、いくつかの欠点を有する。
【０００４】
コンテンツプロバイダが利用可能な別の方法は、異なるオペレータとの直接的な関係（relation）を作成することである。そのような関係により、オペレータの第三者インタフェースを使用することで、オペレータと関連付けられるユーザの現在の端末の機能へのアクセス権及びオペレータアクセス機能が提供される。これは、対象ユーザの位置等を取得する方法に適し、コンテンツを実際に配布するために重要である。しかし、サービスを全ての可能なユーザに提供できるようにするために、コンテンツプロバイダは、全ての関心オペレータに対してそのような関係を作成する必要がある。全世界にわたり非常に多くのオペレータが分布して存在するため、そのような関係を得ることは、少なくとも小さなコンテンツプロバイダにとっては困難である。このような手順のために、この方法は、コンテンツプロバイダにとって、非常に時間を費やし、管理が困難であり、費用がかかる方法となる。従って、コンテンツプロバイダがそのような解決策を使用するのには大きな障害がある。
【発明の開示】
【発明が解決しようとする課題】
【０００５】
従来の通信システムの一般的な問題は、個別の端末及びアクセス機能に非常に適した方法で、種々の通信オペレータの多くの対象ユーザにサービスコンテンツを提供するのが困難なことである。
【０００６】
従って、本発明の一般的な目的は、多くの通信オペレータの集合ネットワークを介するコンテンツプロバイダから対象ユーザへの、サービスコンテンツの配信を改善することである。本発明の更なる目的は、コンテンツプロバイダと多くの通信オペレータとの間の関係の作成を容易にする方法及び構成を提供することである。本発明の副次的な目的は、エンドユーザのアプリケーションを開発する速度を高速化する通信構造を作成することである。
【課題を解決するための手段】
【０００７】
上記目的は、開示される請求の範囲に従う方法及び構成により達成される。一般に、本発明の基本概念は、１つのオペレータが全てのオペレータ対して中間管理装置、処理装置又は配信装置として動作できるようにする技術的な解決策である。コンテンツプロバイダは、１つの中央ネットワークオペレータに対して単一の関係（relation）を有する。この中間中央ネットワークオペレータは、複数の他のオペレータに対して関係を有する。このように、コンテンツプロバイダは、１つのオペレータに対する１つの関係を介して、中央ネットワークオペレータに対する関係を有する全てのオペレータの全てのユーザに到達することができる。コンテンツプロバイダは、通信コンテンツを提供する。対象ユーザ又は加入者のリストは、コンテンツプロバイダ又は中央ネットワークオペレータにおいて編集（compile）される。中央ネットワークオペレータは、位置、デバイス情報及びアクセス特性等の必要な加入者属性を他のオペレータから収集する。通信コンテンツは、収集された属性に基づいてコンテンツプロバイダ又は中央ネットワークオペレータにおいて修正される。最終的にコンテンツは、可能な最適な方法で対象加入者に配信又は配布される。
【０００８】
そのような構成の利点は、エンドユーザのアプリケーションの開発速度を高速化できる構造を構成することである。本発明は、全てのサービスが全てのオペレータにおいて同様に実現される必要がないという可能性を提供する。その代わり、サービスは、１つのオペレータにおいて実現されたように全てのオペレータを介して使用可能である。
【発明を実施するための最良の形態】
【０００９】
添付の図面と共に以下の説明を参照することにより、本発明は、本発明の更なる目的及び利点と共に最もよく理解されるだろう。
【００１０】
今日の通信ネットワークにおいて、オペレータの境界を越えたサービス、セッション及びメディアのルーティング機能が適切に確立される。図１は、概略的なブロック図によりそのような構成を示している。発信側ネットワークオペレータ１０の加入者である発信側ユーザ９は、終端側ネットワークオペレータ２０の加入者である終端側ユーザ３０に例えばメディアコンテンツを配信したいと考えている。発信側ネットワーク（Originating Network）１１に接続される発信側端末（Originating Terminal）１２はメディアコンテンツを提供し、メディアコンテンツは、発信側ネットワーク１１及び終端側ネットワーク（Terminating Network）２１を介して終端側端末（Terminating Terminal）２２に転送される。電話通信、ＳＭＳ（ショートメッセージサービス）、ＭＭＳ（マルチメディアメッセージングサービス）、ＩＭＰＳ（インスタントメッセージング＆プレゼンスサービス）、電子メール又はＩＭＳ（ＩＰマルチメディアサービス）等の特定の通信のアドレス指定構造を使用することにより、任意の発信側ユーザ９は、ルーティング機能４０、５０を介して任意の終端側ユーザ３０に到達することができる。矢印４０は、例えばＥ１６４を使用する電話通信、ＳＭＳ、ＭＭＳ又はＩＭＰＳを表し、矢印５０は、例えばＳＩＰ ＵＲＩを使用するＩＭＳを表している。
【００１１】
サービスコンテンツのプロバイダを考えると、コンテンツプロバイダは、従来技術に従って通常のユーザとして動作してもよい。そのような状況を図２に示す。ここで、コンテンツプロバイダ（Content Provider）６０はオリジナルのサービスコンテンツを提供しており、そのオリジナルのサービスコンテンツは従来のルーティング機能を使用してエンドユーザ３０に通信される。本開示において、「コンテンツ」又は「サービスコンテンツ」という表現は、相対的に広い意味で使用される。排他的でない例として、メディアコンテンツ、通信サービスコンテンツ、広告、情報サービスコンテンツ等がある。
【００１２】
コンテンツプロバイダは、通信ネットワークオペレータに対してより直接的な接続を有してもよい。図３は、コンテンツプロバイダ６０が２つ以上のネットワークオペレータ２０のユーザ３０にコンテンツを提供する状況を示す。コンテンツプロバイダ６０は、全ての異なるネットワークオペレータ２０に対して関係を確立する。最適な例において、オペレータ２０は、ネットワーク内のアクセス特性と加入者デバイスの機能との少なくともいずれかに関する情報２３を提供してもよい。コンテンツプロバイダ６０のコンテンツ修正部６５は、ネットワークオペレータのルーティングシステムを使用してコンテンツが転送される前に、そのような情報２３を使用してコンテンツを適応させることができる。そのような概念において、コンテンツプロバイダ６０は、オペレータの関係の確立及び処理の修正に多くの労力を注ぐ必要がある。更に、ネットワークオペレータ２０は、全ての可能なコンテンツプロバイダに対する関係を達成することに労力を注ぐ必要がある。
【００１３】
本発明によると、別の構成が提案される。図４は、本発明によるシステムの一実施形態を示す。コンテンツプロバイダ６０は、本開示において動作を管理する中央ネットワークオペレータとして示される１つの中央又は中間通信ネットワークオペレータ１０’に対して単一の関係を確立している。用語「管理する」は、非技術的な手順のみが実行されると理解されるべきではなく、全ての機能性がシステム内に備わっていない場合であっても中央ネットワークオペレータがサービスコンテンツを配布する際に中心的な役割を果たすと理解されるべきである。中央ネットワークオペレータ１０’の中央ネットワーク（Central Network）１１’は、サービスコンテンツを管理するように構成されるコンテンツ処理サブシステム７０を含む。通常、このコンテンツ処理サブシステム７０は、１つのノードに実現されるが、配信サブシステム及び任意の他のネットワークデバイスにも実現できる。
【００１４】
中央ネットワークオペレータ１０’は、加入者位置データと、加入者デバイス情報と、加入者アクセス特性との少なくともいずれか等の、ある特定の加入者属性の交換８０を可能にするために、他のネットワークオペレータ２０との関係を確立している。オペレータ間の合意により、状況、データコンテンツ、範囲、経済的補償等が判定され、そのような交換８０はそれら条件の下で行なわれてもよい。
【００１５】
中央ネットワークオペレータ１０’は、コンテンツプロバイダ６０に対して関係を確立しており、中央ネットワークオペレータ１０’とコンテンツプロバイダ６０との間で交換されるデータについてデータの種類、転送技術等を制御する。コンテンツ処理サブシステム７０は、全てのオペレータの集合ネットワークにおいて複数のユーザに配布されるコンテンツを受信する。コンテンツは、交換されたユーザ属性データ８０を使用して、可能な最適な方法で異なるエンドユーザ、そのエンドユーザの要望及び機能に適するように修正される。修正されたコンテンツは、従来のルーティング機能４０、５０を使用して配信される。
【００１６】
コンテンツを受信する対象であるユーザが中央ネットワークオペレータの加入者である場合、中央ネットワークは同時に終端側ネットワークとして機能してもよい。これを下部に示す。ユーザ終端側端末２２が中央ネットワークオペレータ１０’内に示される。
【００１７】
そのような構成において、オペレータ間の関係は、複数のコンテンツプロバイダからのコンテンツを処理するために再利用される。同時に、コンテンツプロバイダは１つのオペレータ関係を確立する必要がある。換言すると、オペレータ間のビジネスセットアップ及びコンテンツプロバイダとのビジネスセットアップの際にオペレータがanyone-to-anyoneのサービス／セッション／メディアルーティングを集合的に使用するために、上述の構成は開放される。
【００１８】
オペレータは互いに共有する属性に関して合意しており、それにより、１つのオペレータは別のオペレータのユーザの属性値を要求できる。これに対する好適な技術は、３ＧＰＰ標準化ＧＵＰ（Generic User Profile）の解決策であり、他の候補は、Liberty Allianceの解決策である。
【００１９】
図４の構成は、種々の要素間の複数の関係又は合意が確立されていることに依存する。これを図５に概略的に示す。ユーザ３０は、ネットワークオペレータ２０との加入者関係９２を有する。加入者関係９２は、ユーザ属性が解放されてオペレータ２０により使用される範囲に関する規則、すなわちプライバシの検討に関する規則を含んでもよい。加入者関係９２は、例えばユーザ３０ではなくオペレータ２０により行なわれる経済的なトランザクションの範囲を規制してもよい。
【００２０】
ネットワークオペレータ２０は、中央ネットワークオペレータ１０’に対してオペレータ間の関係９１を有する。上述のように、そのような関係９１は、交換されるユーザ属性データ及び使用する条件を制御する。通常、そのような関係９１は対称的である。すなわち、任意のオペレータが異なるコンテンツプロバイダについて中央ネットワークオペレータとして動作してもよい。関係９１は、情報を交換する形式及び手段を規定するのが好ましい。
【００２１】
中央ネットワークオペレータ１０’は、コンテンツプロバイダ６０に対して関係９０を有する。この関係は、中央ネットワークオペレータがコンテンツプロバイダ６０の代わりに実行することを受け入れるタスクを制御する。以下に更に説明するように、異なる役割分担が実現可能であり、容易に共存できる。１つの関係９０は、コンテンツプロバイダ６０及び中央ネットワークオペレータの特定の対の間の全ての接続又は特定のコンテンツを範囲に含んでもよい。
【００２２】
最後に、コンテンツプロバイダ６０と仮のユーザ３０との間の関係９３が存在する必要がある。関係９３は直接的な関係であってもよく、義務及び条件がそれら２者間で直接合意される。しかし、図５の他の関係９０〜９２の影響により、関係９３は間接的な関係であってもよく、例えば少なくともある程度は、中央ネットワークオペレータ１０’がコンテンツプロバイダ６０の代わりに動作してもよいし、ネットワークオペレータ２０がユーザ３０の代わりに動作してもよいし、これらの両方でもよい。
【００２３】
中央ネットワークオペレータとコンテンツプロバイダとの間の関係により、コンテンツプロバイダ６０のシステムと中央ネットワークオペレータコンテンツ処理サブシステム７０との間の役割分担が判定される。図６Ａにおいて、コンテンツプロバイダ６０のシステム及びコンテンツ処理サブシステム７０の一実施形態のブロック図を示す。コンテンツプロバイダ６０は、コンテンツソース（Content Source）６６を含む。コンテンツソース６６のコンテンツは、複数のユーザのためのものである。加入者リスト編集部（Subscriber List Compiler）６４は、コンテンツの対象であるユーザのリストを得るために接続６３を使用する。
【００２４】
コンテンツソース６６からのコンテンツは、コンテンツ処理サブシステム７０のコンテンツ修正部（Content Modifying Unit）７８に転送される（８２）。更に、加入者リスト又は加入者リストの表現は、コンテンツプロバイダインタフェース６９を介してコンテンツプロバイダ６０からコンテンツ処理サブシステム７０の属性コレクタ（Attribute Collector）７１に転送される（８３）。属性コレクタ７１は、受信した加入者リストに存在するユーザの有用なユーザ属性を要求するためにオペレータ間の関係を使用する。そのような通信は、複数の移動通信ネットワークのオペレータとの信号伝送を管理するのに好適なオペレータ間インタフェース８１を介して行なわれる。関連するユーザ属性データを伴う加入者リストは、コンテンツ修正部７８に提供される。コンテンツ修正部７８において、コンテンツは、種々のユーザ属性に可能な限り適するように修正される。そのような処理の更に詳細な例を以下に更に示す。修正されたコンテンツは、どのユーザがどの種類のコンテンツを有するべきかを示す加入者リストと共に配信手段（Distributing Means）７７に提供される。配信手段７７は、複数の移動通信ネットワークの加入者との通信を行うのに好適なデータトラフィックインタフェース７９を介してコンテンツを配布する。
【００２５】
図６Ａの実施形態において、コンテンツプロバイダ６０は、加入者リストの提供及びコンテンツについて主な役割を果たすが、更なる全ての動作は、コンテンツ処理サブシステム７０に引き継がれる。ここで、コンテンツ処理サブシステム７０はコンテンツブローカとして動作する。
【００２６】
異なる役割分担に基づく別の実施形態を図６Ｂに示す。ここで、コンテンツプロバイダ６０は、オリジナルのコンテンツを実際に提供し、種々の対象ユーザに適するように任意に修正を行なう。コンテンツ修正部６８は、コンテンツプロバイダ６０に提供される。仮のユーザのリストを取得する役割は、コンテンツ処理サブシステム７０に引き継がれる。コンテンツ処理サブシステム７０は、コンテンツの対象であるユーザのリストを得るために接続７３を使用する加入者リスト編集部７４を含む。そのような対象とする動作の結果は、属性コレクタ７１に容易に渡される。本実施形態において、属性コレクタ７１は、関連するユーザ属性データを伴う加入者リスト８４をコンテンツプロバイダインタフェース６９を介してコンテンツ修正部６８に提供する。コンテンツ修正部６８は、受信情報に基づいてコンテンツを修正し、修正したコンテンツ８５をコンテンツ処理サブシステム７０に返す。その後、コンテンツ処理サブシステム７０はコンテンツを配信する。
【００２７】
図６Ｃにおいて、更に別の役割分担の一実施形態を示す。ここで、コンテンツプロバイダ６０は、コンテンツプロバイダ６０自体の参加を最小限にする。コンテンツプロバイダ６０は、オリジナルのコンテンツのみをコンテンツ処理サブシステム７０に提供し、コンテンツ処理サブシステム７０は、先の実施形態と同様に残りの全てのステップを実行する。
【００２８】
更なる実施形態において、コンテンツプロバイダは、コンテンツの提供、コンテンツの修正及び最終的な配信を処理できる。しかし、コンテンツを修正するには、中央ネットワークオペレータにより収集され、コンテンツプロバイダに提供されるユーザ属性に関する入力情報を供給する必要がある。コンテンツプロバイダがユーザリストを編集する役割を果たす場合、中央ネットワークオペレータは属性を収集する機能のみを果たす。
【００２９】
本発明による方法及びデバイスの利点を更に理解するために、多くの例が以下に提供される。典型的な状況として、制限されたコンサートエリアで行なわれるコンサートイベントが使用される。複数のアーティストがステージで演奏し、観客に対する更なるサービスとして、コンサートの主催者がバックステージで動作するフィルムチームを有し、インタビュー又は一般的なバックステージフィルムシーケンス等の追加のメディアマテリアルを提供する。
【００３０】
図７は、種々の動作要素を概略的に示す。まず、コンテンツプロバイダ６０は、追加のメディアマテリアルの可能な対象に到達する必要がある。コンサートエリアへの入口の広告及びコンサートエリアにわたり配信される広告において、コンテンツプロバイダは、「バックステージのアーティストを見せるフィルム」が入手可能であることを通知する。その広告には、ワード「BackStageFilms」を含むＳＭＳを特定の電話番号に送出する指示がある。ユーザがコンサートエリア内に存在する場合、フィルムは、入手可能な時に配布される。エリアの拘束により、観客でない者が興味深いメディアコンテンツを見るという利益を得ることを防止する。広告は、それにかかる費用を伝える。この広告は、矢印６３Ａにより示される。
【００３１】
バックステージのマテリアルを有することに興味のあるユーザ３０は、ワード「BackStageFilms」を含んでＳＭＳを特定の電話番号へ送信することにより、広告６３Ａに応答する（６３Ｂ）。特定の電話番号はコンテンツプロバイダ６０に属し、ＳＭＳが受信されると、コンテンツプロバイダ６０は、コードワード「BackStageFilms」を検出し、ＭＳＩＳＤＮ等のＳＭＳの発信側ＳＭＳアドレスを取得し、それをコンテンツ配布提供に加入しているユーザのリスト８６に追加する。
【００３２】
コンサートが開始すると、バックステージフィルムチームの仕事が開始する。コンテンツプロバイダ６０が提供する任意の新しいコンテンツ９６を有する場合、それは、その提供に加入しているユーザのＭＳＩＳＤＮのリスト８６と共に中央ネットワークオペレータ（Central Network Operator）１０’に送出される（８２、８３）。中央ネットワークオペレータ１０’（又は中央ネットワークオペレータのコンテンツ処理サブシステム）は、ＭＳＩＳＤＮのリスト８６全体を見て、各番号を管理するオペレータに従ってオリジナルリスト８６中のユーザを有するオペレータ毎のリスト８７に分割する。中央ネットワークオペレータ１０’は各オペレータに要求８１Ａを送出し、位置、現在のデバイスの機能、現在のアクセスの機能及び好適な配布方法ＩＭＳ又はＭＭＳを問い合わせる。中央ネットワークオペレータ１０’自体に属するユーザの場合、当然、そのような要求は内部で処理される。
【００３３】
異なる終端側ネットワークオペレータ（Terminating Network Operator）２０は、要求８１Ａに応じて応答し（８１Ｂ）、各オペレータの対象ユーザに対するユーザ属性データを提供する。中央ネットワークオペレータ１０’は、この受信情報を使用して加入者リストの新しい分割を行なう。加入者リスト８６は、アクセス及び提示機能に対して同一の又は同様の要望を有するユーザが収集された部分リスト８８に分割される。例えば、ＭＭＳを介して配布されたコンテンツを有するユーザとＩＭＳを介するコンテンツを有するユーザとの間の分割が行なわれる。コンサートエリア内に存在しない対象ユーザは、メディアコンテンツの受信から除去される（８９）。
【００３４】
中央ネットワークオペレータ１０’は、部分リスト８８の種々の要望に適するようにコンテンツを修正する。すなわち、中央ネットワークオペレータ１０’は、各部分リスト８８と関連付けられる修正されたコンテンツ９８を提供する。最後に、中央ネットワークオペレータ１０’は、従来のルーティング機能を使用して部分リスト８８のユーザに修正したコンテンツを送出する（７９）。この特定の例において、ＭＭＳリストの各ＭＳＩＳＤＮに対するビデオＭＭＳ及びストリーミングは、ＩＭＳリストの各ＭＳＩＳＤＮに導かれる。一般にコンテンツは、端末の種類に応じて例えば端末の画面サイズに適合するように修正と再符号化との少なくともいずれかが行われるか、あるいは例えば低下したアクセス機能に適合するようにダウンコードされる。
【００３５】
通常、中央ネットワークオペレータ１０’は課金作業を処理する。例えば上述の配布動作は双方とも、コンテンツプロバイダにより広告された値に対応して、課金し且つ課金の値が割り当てられるＢ要素に対して印が付けられる。終端側ネットワークオペレータ２０は、ユーザ３０に請求するか、あるいは提供された課金の値に基づいて配布コンテンツに対するプリペイドアカウントの借方に記入する。中央ネットワークオペレータ１０’は、会計上の合意に従って配布コンテンツの終端側ネットワークオペレータ２０に請求する。最後に中央ネットワークオペレータ１０’は、相互の合意に従って、配布に対して課金して徴収した総額をコンテンツプロバイダ６０に配布する。
【００３６】
例えば、上記説明は図６Ａに従うシステムに対応することが、当業者には理解される。図６Ａにおいて、コンテンツプロバイダはユーザのリストを編集する役割を果たし、中央ネットワークオペレータはコンテンツを修正する役割を果たしている。図６Ｂ及び図６Ｃに提供される役割分担等の他の役割分担の場合、情報ストリームはそれに基づいて修正される。
【００３７】
上記の例は、非常に基本的なレベルでコンテンツ配信を行なう。更なる面が考慮される。保証付き品質の問題は、考慮される配布要求条件である。そのような面は、例えばネットワークが輻輳した場合及びコンテンツが配布保証と共に販売される場合に要求される。これは、上記構成に容易に含まれる。ユーザ属性に対する要求８１Ａは、ユーザが保証付き品質配布に加入しているかに関する情報の要求を含む。属性を受信すると、中央ネットワークオペレータ１０’は、保証付き品質配布状態に基づいて部分リスト８８を作成する。修正されたコンテンツを配布する場合、保証付き品質配布を有するユーザへの配布は、それに従って印が付けられる。
【００３８】
デジタル権利管理（ＤＲＭ：Digital Rights Management）は、継続する高額コンテンツを市場に引きつけるための重要な要因である。この状況においては、配布される端末に存在するＤＲＭレベルをチェックすることが問題である。これは、上記方式内において属性の中の１つの属性として扱われる。端末に対してＤＲＭ容量を増加する能力は、１つのステップとして組み込まれる。
【００３９】
一例として、加入が有効にされるために、コンテンツプロバイダは、貴重なコンテンツを考慮するとともに、ユーザデバイスにおけるＤＲＭ機能レベル２を要求することを決定する。中央ネットワークオペレータ１０’は、ユーザが使用しているデバイスにおいて利用可能であるＤＲＭレベルに関して問い合わせ、そのＤＲＭレベルが少なくともレベル２となることを要求する属性要求を送出する。終端側ネットワークオペレータ２０は、ユーザデバイスの機能をチェックする。ユーザデバイスがＤＲＭレベル２の互換性がある場合、その情報が返される。レベルが２より低い場合、終端側ネットワークオペレータ２０は、可能であればレベル２を実現するためにデバイスを更新しようとする。更新が成功すると、レベル２の互換性が返され、成功しなかった場合、終端側ネットワークオペレータ２０は２より小さいＤＲＭレベルを返す。中央ネットワークオペレータ１０’は返されたＤＲＭレベルを処理し、レベルが２より小さい場合、中央ネットワークオペレータ１０’はコンテンツを提供されるユーザのリストからそのユーザを除去する。除去の指示及びその理由は、ユーザ３０に転送されるのが好ましい。
【００４０】
プライバシ、すなわち他の要素に配信可能とされる情報に関する疑問は、上記方式に含まれる別の問題である。プライバシは、通常、ユーザの整合性を保護するためにある形式で要求されると考えられるため大きな関連性がある。上述したように、ユーザプライバシの少なくとも一部は、加入者の合意又はオペレータとユーザとの間の他の関係により制御されてもよい。そのような規制は、一般的なプライバシを考慮してもよい。すなわち、任意の他の特定の部外者又は任意の特定のイベントに対して考慮されなくてもよい。しかし、オペレータが部外者に対して完全に自由にユーザ属性を処理することを可能にすることは一般的ではない。そのような場合、通常、一般的なプライバシの制約が存在し、ネットワークオペレータが自身の考えのみに従って部外者にユーザ属性を配信することを禁止する。本発明の方式がそのような状況下で適切に動作するために、そのような障害は、以下の説明に従うプライバシ処理方式に関連するイベント又は要素を使用することにより一時的に除去されてもよい。これを図８に概略的に示す。
【００４１】
図８の実施形態において、加入者リストの編集は、中央ネットワークオペレータ１０’により処理される。広告６３Ａ及び応答６３Ｂの受信は、中央ネットワークオペレータ１０’により制御される。これは、対象加入者のリスト８６がオペレータで構築されることを意味する。本実施形態において、中央ネットワークオペレータ１０’が応答６３Ｂを受信すると、自動プライバシ設定は起動される。中央ネットワークオペレータ１０’は、自動プライバシ設定スクリプト１０１をＳＭＳの「from」アドレス、すなわち対象ユーザにＭＭＳ等を介して送出する。スクリプトは、ユーザのオペレータ２０の定義されたアドレス１０３にそのスクリプトを転送する（１０２）要求を伴う。このスクリプトは、中央ネットワークオペレータ１０’からの入力属性要求の妥当性に対する能力をユーザのオペレータ２０、すなわち終端側オペレータに提供する。プライバシを設定するスクリプトは、作成者による署名を必要とする。終端側オペレータは、信頼されるエンティティにより作成され、ユーザにより署名されたことをチェックする。
【００４２】
中央ネットワークオペレータ１０’がユーザ属性に対する要求８１Ａを送出すると、終端側オペレータ２０は、各ユーザのプライバシ設定１０３に対して属性要求の妥当性をチェックする。プライバシ設定リスト１０３に存在し、適切なプライバシ設定を有するそれらユーザに対して、要求された属性値が返される（８１Ｂ）。中央ネットワークオペレータ１０’は、適切なプライバシ設定を有さないユーザ８９を選別する。すなわち、ユーザ属性は返されない。別の実現例において、中央ネットワークオペレータ１０’は、適切なプライバシ設定を有さないユーザの部分リストを別個に作成してもよい。その部分リストのユーザに配信されるコンテンツは、ネットワークアクセス機能及び端末の可能な「最低」レベルに適するように修正される。
【００４３】
上記スクリプト処理手順のために、全ての場合においてユーザにより承認されるプライバシレベルは、配信の可能な最適な選択を提供するために使用される。
【００４４】
状況によっては、ユーザはコンテンツを得たいが、匿名を維持したい場合がある。例えば、コンテンツプロバイダが信頼できるオペレータであるかを加入者が知らない場合、加入者はコンテンツプロバイダに対して実際のアイデンティティを明かさないことを選択してもよい。換言すると、加入者はコンテンツに対する可用性を得たいが、自身のアイデンティティを明かさない。匿名方式は上記構成に含まれてもよく、中央ネットワークオペレータ１０’のサブシステム又は終端側ネットワークオペレータ２０を匿名保存サブシステムとして使用する。そのようなシステムの一実施形態を図１０に示す。ネットワークオペレータ２０の終端側ネットワーク２１は、匿名ポート３５を含む。匿名ポート３５は、加入者アドレスと一時的なルーティングアドレスとの間に一時的な時間制限された関連を提供する機能性を含む。この関連情報は、任意のユーザ属性データ交換を介して入手可能ではない。
【００４５】
匿名ポート３５の動作は、一例を研究することにより最も簡単に理解される。コンテンツプロバイダ６０がコンテンツサービスを広告する場合、匿名加入に関する情報が提供される。広告は、例えば「匿名加入が受け入れられる。「0701234567」を含み、オペレータの匿名ポートにＳＭＳを送出して下さい。」という情報を含む。ユーザは、実際の関心コンテンツの識別及びコンテンツプロバイダＳＭＳアドレス0701234567を含んでホームオペレータの匿名ポート３５にＳＭＳを送出する。オペレータ２０の匿名ポート３５は、一時的なルーティング番号を選択し、それを受信ＳＭＳの「from」アドレスと関連付ける。ルーティング番号は、ルーティング番号であるが通常の電話番号ではないことが理解されるように構成されるのが好ましい。オペレータ２０は、その関連付けの有効時間中、ルーティング番号に向けられた任意の通話又はメッセージを関連する元のアドレスに転送する。匿名ポート３５は、コンテンツプロバイダのアドレス「0701234567」にＳＭＳを転送する。中央ネットワークオペレータ１０’は、ＳＭＳの「from」アドレス、すなわちここではルーティング番号を取得し、それをコンテンツ配布提供に加入するユーザのリストに追加する。
【００４６】
中央ネットワークオペレータ１０’が加入者のユーザ属性を要求すると、匿名ポート３５は、ルーティング番号を元の番号に変換し、許可された場合に正確なユーザ属性８０を中央ネットワークオペレータ１０’に提供できる。エンドユーザ３０のアイデンティティは明かされないが、エンドユーザが属するオペレータのみが明かされる。実際のコンテンツが配信される場合、コンテンツはルーティングアドレスに向けられる。ルーティングアドレスは、コンテンツを匿名ポート３５に送る。匿名ポート３５は、内部関連付けを使用してコンテンツを加入者３０に転送する。
【００４７】
そのような構成において、コンテンツに対する課金は、終端側ネットワークオペレータ２０を介して渡される必要がある。
【００４８】
図９は、本発明による方法の一実施形態の主なステップを示すフローチャートである。手順は、ステップ２００で開始する。ステップ２１０において、メディアコンテンツ等のサービスコンテンツが提供される。通常、これは、コンテンツプロバイダにより実行されるか又はコンテンツプロバイダから実行される。ステップ２１２において、対象ユーザの加入者リストが編集される。そのようなステップは、コンテンツプロバイダ又は中央ネットワークオペレータのサブシステムにより提供される。ステップ２１４において、加入者リストに一覧表示されるユーザのユーザ属性が収集される。このステップは、要求−応答作業を制御するためにオペレータ間の関係を使用して、中央ネットワークオペレータのサブシステムにおいて実行される。例えばユーザのプライバシの合意に依存して、要求された情報の全て又は一部が中央ネットワークオペレータのサブシステムにおいて収集される。ステップ２１６において、サービスコンテンツは、収集したユーザ属性に依存して、加入者リストにおける種々のユーザに適するように修正される。このステップは、中央ネットワークオペレータからの属性情報によりサポートされるコンテンツプロバイダにより実行され、また、コンテンツプロバイダがコンテンツを提供した場合には中央ネットワークオペレータにより実行される。最後にステップ２１８において、修正されたコンテンツは加入者リストのユーザに配信される。修正されたコンテンツは、各ユーザのユーザ属性に基づいて修正される。手順は、ステップ２９９において終了する。
【００４９】
ここで説明される構造は、１つのオペレータがオペレータの集合に対する管理者として動作する市場構造を可能にし、それにより、アプリケーション業界が発展するとともに、急速に成長する。オペレータは、ユーザに関する殆どの情報を提供するとともに、必要とされる基本的な機能を構成するため、依然として制御を行なう。
【００５０】
オペレータ間の合意が必要とされる。それら合意は、セッションルーティングレベル及びイネイブラレベル（enabler level）に対する一般的な相互接続の面、並びに一般的な属性共有機能を範囲に含む。それらがサービスの状況において使用される点は、合意の一部ではなく、関係の一方側においてのみ理解されている必要がある。更にプライバシは、各オペレータにより顧客に提供される一般的なサービスと考えられる。
【００５１】
構造は、種々のオペレータが個別に動作及び発展することを可能にし、それによりサービスレベルを標準化するという時間のかかる作業を除去する。別の利点は、全てのユーザにわたり動作するために、単一のサービスが全てのオペレータにおいて実現される必要がないことである。
【００５２】
本発明の重要な面は、各オペレータがオペレータ関係に関わらず全てのユーザに到達することを可能にする全体の機能及び特性を提供するために、標準化インタフェース解決策が組み合わされる方法である。
【００５３】
上述の実施形態は、本発明のいくつかの例示として理解される。本発明の技術的範囲から逸脱せずに種々の変形、組合せ及び変更が実施形態に対して行なわれてもよいことは、当業者には理解されるだろう。特に、種々の実施形態における種々の部分解決策は、技術的に可能な他の構成において組み合わせることができる。しかし、本発明の範囲は添付の請求の範囲により規定される。
【図面の簡単な説明】
【００５４】
【図１】オペレータの境界を越えたルーティング機能を示すブロック図である。
【図２】コンテンツを提供する従来のシステムを示すブロック図である。
【図３】コンテンツを提供する別の従来のシステムを示すブロック図である。
【図４】本発明に従ってコンテンツを提供するシステムの一実施形態を示すブロック図である。
【図５】本発明に従ってコンテンツを提供するシステムの要素間の関係を示すブロック図である。
【図６Ａ】本発明によるコンテンツプロバイダの一実施形態及び中央ネットワークオペレータのコンテンツ処理サブシステムの一実施形態を示すブロック図である。
【図６Ｂ】本発明によるコンテンツプロバイダの別の実施形態及び中央ネットワークオペレータのコンテンツ処理サブシステムの一実施形態を示すブロック図である。
【図６Ｃ】本発明によるコンテンツプロバイダの更に別の実施形態及び中央ネットワークオペレータのコンテンツ処理サブシステムの一実施形態を示すブロック図である。
【図７】本発明によるシステムの一実施形態における情報の流れを示す概略図である。
【図８】プライバシスクリプトを含む本発明によるシステムの一実施形態における情報の流れを示す概略図である。
【図９】本発明による方法の一実施形態の主なステップを示すフローチャートである。
【図１０】本発明に従ってコンテンツを提供して匿名を可能にするシステムの一実施形態を示すブロック図である。
【図１】
2008535079.tif 000003
【図２】
2008535079.tif 000004
【図３】
2008535079.tif 000005
【図４】
2008535079.tif 000006
【図５】
2008535079.tif 000007
【図６Ａ】
2008535079.tif 000008
【図６Ｂ】
2008535079.tif 000009
【図６Ｃ】
2008535079.tif 000010
【図７】
2008535079.tif 000011
【図８】
2008535079.tif 000012
【図９】
2008535079.tif 000013
【図１０】
2008535079.tif 000014
【手続補正書】
【提出日】平成19年1月30日(2007.1.30)
【手続補正１】
【補正対象書類名】特許請求の範囲
【補正対象項目名】全文
【補正方法】変更
【補正の内容】
【特許請求の範囲】
【請求項１】
サービスコンテンツ（９６）を提供するステップ（２１０）と、
前記サービスコンテンツ（９６）が配信される加入者のリスト（８６）を編集するステップ（２１２）と、
前記加入者（３０）についての情報を収集するステップと、
前記サービスコンテンツを前記リスト（８６）上の加入者（３０）へ配信するステップ（２１８）と、
を有するサービスコンテンツ（９６）を配信する方法であって、
前記方法は、複数の移動通信ネットワークオペレータ（１０’、２０）の加入者（３０）へサービスコンテンツ（９６）を配信することに関するものであり、
前記収集するステップは、中央ネットワークオペレータ・サブシステム（７０）において、前記複数の移動通信ネットワークのオペレータ（２０）から前記リスト（８６）上の前記加入者（３０）に係る加入者属性（８０）を収集するステップ（２１４）を有し、
前記収集した加入者属性（８０）に基づいて、該加入者属性（８０）に適合するように前記サービスコンテンツ（９６）を修正するステップ（２１６）を更に有し、
前記配信するステップは、各加入者属性に基づいて修正した前記サービスコンテンツを配信するステップ（２１８）を有することを特徴とする方法。
【請求項２】
前記サービスコンテンツは、
メディアコンテンツと、
通信サービスコンテンツと、
広告と、
情報サービスコンテンツと、
のリストの少なくとも１つの項目を含む、請求項１に記載の方法。
【請求項３】
前記加入者属性（８０）は加入者位置データを含む、請求項１又は２に記載の方法。
【請求項４】
前記加入者属性（８０）は加入者デバイス情報を含む、請求項１から３のいずれか１項に記載の方法。
【請求項５】
前記加入者デバイス情報はデジタル権利管理に関する情報を含む、請求項４に記載の方法。
【請求項６】
前記加入者属性（８０）は加入者アクセス特性を含む、請求項１から５のいずれか１項に記載の方法。
【請求項７】
前記加入者アクセス特性は、ＩＰマルチメディアサービス又はマルチメディアメッセージングサービスアクセスに関する情報を含む、請求項６に記載の方法。
【請求項８】
前記収集するステップ（２１４）は、オペレータの相互の合意により制御される請求項１から７のいずれか１項に記載の方法。
【請求項９】
前記編集するステップ（２１２）は、前記中央ネットワークオペレータ・サブシステム（７０）において実行される、請求項１から８のいずれか１項に記載の方法。
【請求項１０】
前記編集するステップ（２１２）は、サービスコンテンツプロバイダ（６０）により実行される、請求項１から８のいずれか１項に記載の方法。
【請求項１１】
前記編集したリスト（８６）を前記中央ネットワークオペレータ・サブシステム（７０）へ転送するステップを更に有する、請求項１０に記載の方法。
【請求項１２】
前記修正するステップ（２１６）は、前記中央ネットワークオペレータ・サブシステム（７０）において実行される、請求項１から１１のいずれか１項に記載の方法。
【請求項１３】
前記修正するステップ（２１６）は、サービスコンテンツプロバイダ（６０）により実行される、請求項１から９のいずれか１項に記載の方法。
【請求項１４】
前記修正したサービスコンテンツを前記中央ネットワークオペレータ・サブシステム（７０）へ転送するステップを更に有する、請求項１３に記載の方法。
【請求項１５】
前記配信するステップ（２１８）は、前記中央ネットワークオペレータ・サブシステム（７０）により実行される、請求項１から１４のいずれか１項に記載の方法。
【請求項１６】
前記修正するステップ（２１６）は、
所定の共通加入者属性に基づいて、前記編集したリスト（８６）を部分リスト（８８）に分割するステップと、
前記所定の共通加入者属性に基づいて、前記部分リスト（８８）の各々について前記サービスコンテンツを修正するステップと、
を有する、請求項１から１５のいずれか１項に記載の方法。
【請求項１７】
前記加入者のリスト（８６）上の加入者にプライバシ設定スクリプトを提供するステップを更に有し、
前記プライバシ設定スクリプトは、前記加入者が署名することを意図しており、
前記プライバシ設定スクリプトは、前記加入者が前記署名したプライバシ設定スクリプトを転送することを意図している、前記加入者のオペレータのアドレスを伴っている
請求項１から１６のいずれか１項に記載の方法。
【請求項１８】
一方の前記加入者（３０）のうちの少なくとも１人と、他方の前記中央ネットワークオペレータ（１０’）及び前記コンテンツプロバイダ（６０）との間の通信は、前記加入者（３０）のうちの前記少なくとも１人が加入者であるオペレータ（２０）の匿名ポート（３５）を介して実行され、
一時的なルーティングアドレスは、前記加入者（３０）のうちの前記少なくとも１人を識別するために使用される
請求項１から１７のいずれか１項に記載の方法。
【請求項１９】
サービスコンテンツプロバイダ通信を行うコンテンツプロバイダインタフェース（６９）を備える移動通信ネットワーク・サブシステム（７０）であって、
更に、
複数の移動通信ネットワークのオペレータとの信号伝送を管理するオペレータ間インタフェース（８１）と、
前記複数の移動通信ネットワークの加入者と通信を行うデータトラフィックインタフェース（７９）と、
サービスコンテンツが配信される前記複数の移動通信ネットワークの加入者のリストを取得する手段（７４）と、
前記オペレータ間インタフェース（８１）を介して前記加入者のリスト上の加入者に係る加入者属性を収集する手段（７１）と、
各加入者属性に基づいて、該加入者属性（８０）に適合するように修正した前記サービスコンテンツを前記データトラフィックインタエース（７９）を介して配布する手段（７７）と、
を備えることを特徴とする移動通信ネットワーク・サブシステム（７０）。
【請求項２０】
前記サービスコンテンツは、
メディアコンテンツと、
通信サービスコンテンツと、
広告と、
情報サービスコンテンツと、
のリストの少なくとも１つの項目を含む、請求項１９に記載の移動通信ネットワーク・サブシステム。
【請求項２１】
前記サービスコンテンツを前記コンテンツプロバイダインタフェース（６９）を介して受信する手段と、
前記リスト上の加入者に係る加入者属性に基づいて前記サービスコンテンツを修正する手段（７８）と、
を更に備える、請求項１９に記載の移動通信ネットワーク・サブシステム。
【請求項２２】
前記サービスコンテンツを修正する前記手段（７８）は、
所定の共通加入者属性に基づいて、前記編集したリストを部分リストに分割する手段と、
前記所定の共通加入者属性に基づいて、前記部分リストの各々について前記サービスコンテンツを修正する手段と、
を備える、請求項２１に記載の移動通信ネットワーク・サブシステム。
【請求項２３】
前記収集した加入者属性の少なくとも一部を表すデータを前記コンテンツプロバイダインタフェースを介して転送する手段と、
前記リスト上の加入者に係る加入者属性に基づいて修正した前記サービスコンテンツを前記コンテンツプロバイダインタフェース（６９）を介して受信する手段と、
を更に備える、請求項１９に記載の移動通信ネットワーク・サブシステム。
【請求項２４】
加入者のリストを取得する前記手段は、前記加入者のリストを表すデータを前記コンテンツプロバイダインタフェース（６９）を介して受信する手段を備える、請求項１９から２３のいずれか１項に記載の移動通信ネットワーク・サブシステム。
【請求項２５】
加入者のリストを取得する前記手段（７４）は、ＳＭＳメッセージを受信し処理する手段を備える、請求項１９から２３のいずれか１項に記載の移動通信ネットワーク・サブシステム。
【請求項２６】
前記加入者のリスト（８６）上の加入者を対象として前記データトラフィックインタフェース（７９）を介してプライバシ設定スクリプトを提供する手段を更に備え、
前記プライバシ設定スクリプトは、前記加入者により署名することを意図しており、
前記プライバシ設定スクリプトを提供する前記手段は、前記加入者が前記署名したプライバシ設定スクリプトを転送することを意図する前記加入者のオペレータのアドレスを含むように更に構成される
請求項１９から２５のいずれか１項に記載の移動通信ネットワーク・サブシステム。
【請求項２７】
請求項１９から２６のいずれか１項に記載の移動通信ネットワーク・サブシステム（７０）を備える移動通信システム。
【請求項２８】
匿名ポート（３５）を更に備え、
一時的なルーティングアドレスは、前記加入者（３０）のうちの少なくとも１人に対するアドレスと関連付けられ、
一方の前記加入者（３０）のうちの前記少なくとも１人と、他方の中央ネットワークオペレータ（１０’）及び前記コンテンツプロバイダ（６０）との間の通信は、前記匿名ポート（３５）を介して行なわれる
請求項２７に記載の移動通信システム。
【国際調査報告】
2008535079.tif 000015
2008535079.tif 000016
2008535079.tif 000017